(57)【要約】【課題】部品点数を低減することができるとともに、小型化を図ることができる配線保持構造を提供する。【解決手段】配線保持構造は、車両本体側と車両スライドドア側とを電気的に接続するための配線（コルゲートチューブ１４）を、車両本体側で保持する。車両スライドドアと隣接して設けられるステップ部材３を樹脂材にて成形するとともに、該ステップ部材３に第１保持部３ｃを一体成形し、該第１保持部３ｃと、その第１保持部３ｃに対向して固定され該第１保持部３ｃとの間に配線（コルゲートチューブ１４）を保持する第２保持部材１２とで保持部１３を構成する。【選択図】図２
2011109876.tif 000002
【特許請求の範囲】
【請求項１】
車両本体側と車両スライドドア側とを電気的に接続するための配線を、前記車両本体側で保持する配線保持構造であって、
前記車両スライドドアと隣接して設けられるステップ部材を樹脂材にて成形するとともに、該ステップ部材に第１保持部を一体成形し、該第１保持部と、その第１保持部に対向して固定され該第１保持部との間に前記配線を保持する第２保持部材とで保持部を構成したことを特徴とする配線保持構造。
【請求項２】
請求項１に記載の配線保持構造において、
前記第１保持部と前記第２保持部材とは、爪構造にて係着されたことを特徴とする配線保持構造。
【請求項３】
請求項１又は２に記載の配線保持構造において、
前記保持部は、円筒保持部を有し、
前記配線は、前記円筒保持部に回転可能に保持される回転保持部材に保持されたことを特徴とする配線保持構造。
【請求項４】
請求項１乃至３のいずれか１項に記載の配線保持構造において、
前記保持部は、その一端部に前記配線の大きな曲がりを規制すべく一端に向かうほど徐々に大きく開口する規制開口部を有するものであって、前記第１保持部には前記規制開口部の一部を構成する湾曲部が形成されたことを特徴とする配線保持構造。
【請求項５】
請求項１乃至４のいずれか１項に記載の配線保持構造において、
前記配線は、複数がコルゲートチューブに収容され、前記保持部は前記コルゲートチューブを保持することを特徴とする配線保持構造。
【発明の詳細な説明】
【技術分野】
【０００１】
本発明は、車両スライドドアへの配線を車両本体側で保持する配線保持構造に関するものである。
【背景技術】
【０００２】
従来から車両スライドドアには、パワーウインドウ用モータやドアロック装置等の種々の電装品が搭載される。そして、開閉駆動される車両スライドドア（その電装品）への配線を車両本体側で保持する配線保持構造としては、例えば、樹脂材よりなる下側保持部材及び上側保持部材を組み合わせてその内部に配線を保持する保持部材を構成し、その保持部材を車両本体に固定するようにしたものがある（例えば、特許文献１参照）。尚、特許文献１に記載されたものでは、車両スライドドアの開閉駆動に対応させるべく（配線の追従性を良好とすべく）、複数の配線（ハーネス）を収容したコルゲートチューブを、保持部材の内部で回転自在に保持させている。そして、このような保持部材は、例えば、車両スライドドアと隣接して設けられるステップ部材（踏み台）における車両後方側端部等にねじ止め等にて固定される（例えば、特許文献２参照）。
【先行技術文献】
【特許文献】
【０００３】
【特許文献１】特開２００３−１５３４１７号公報
【特許文献２】特開２００７−６８３４６号公報
【発明の概要】
【発明が解決しようとする課題】
【０００４】
しかしながら、上記のような配線保持構造では、下側保持部材及び上側保持部材が必要であるため部品点数が多くなってしまうという問題がある。又、コルゲートチューブ（配線）は、下側保持部を介してステップ部材上に保持されることになるため、配線保持構造の高さが嵩んでしまうことになる。このことは、例えば、車両室内の低床化を阻害する原因となる。
【０００５】
本発明は、上記課題を解決するためになされたものであって、その目的は、部品点数を低減することができるとともに、小型化を図ることができる配線保持構造を提供することにある。
【課題を解決するための手段】
【０００６】
上記課題を解決するために、請求項１に記載の発明では、車両本体側と車両スライドドア側とを電気的に接続するための配線を、前記車両本体側で保持する配線保持構造であって、前記車両スライドドアと隣接して設けられるステップ部材を樹脂材にて成形するとともに、該ステップ部材に第１保持部を一体成形し、該第１保持部と、その第１保持部に対向して固定され該第１保持部との間に前記配線を保持する第２保持部材とで保持部を構成したことを要旨とする。
【０００７】
同構成によれば、車両スライドドアと隣接して設けられるステップ部材に一体成形された第１保持部と、第１保持部に対向して固定され該第１保持部との間に配線を保持する第２保持部材とで保持部を構成するため、下側保持部材と上側保持部材を組み合わせた保持部材をステップ部材に固定するものに比べて、部品点数を少なくすることができる。即ち、上記構成では、ステップ部材と保持部の一部（第１保持部）とが共用の一つの部材となるため、部品点数を少なくすることができる。又、ステップ部材は、一般的に金属材よりなるが、上記構成では樹脂材にて成形するため、製造するものの形状の自由度が増し、ステップ部材と第１保持部とを容易に一体成形することができる。しかも、ステップ部材と第１保持部とが一体成形されるため、別体としてそれらを固定したときのように嵩んで大型化してしまうことを回避することができ、全体として小型化を図ることができる。
【０００８】
請求項２に記載の発明では、請求項１に記載の配線保持構造において、前記第１保持部と前記第２保持部材とは、爪構造にて係着されたことを要旨とする。
同構成によれば、第１保持部と前記第２保持部材とは、爪構造にて係着されるため、ねじ止め等にて固定する場合に比べて、部品点数を低減することができるとともに、その組み付けが容易となる。特に、このような爪構造は、互いに係合するようにその形状が複雑となるが、ステップ部材が樹脂材にて成形されるため、ステップ部材にその一部（例えば爪係合部）を容易に成形することができる。
【０００９】
請求項３に記載の発明では、請求項１又は２に記載の配線保持構造において、前記保持部は、円筒保持部を有し、前記配線は、前記円筒保持部に回転可能に保持される回転保持部材に保持されたことを要旨とする。
【００１０】
同構成によれば、保持部は、円筒保持部を有し、配線は、円筒保持部に回転可能に保持される回転保持部材に保持されるため、開閉される車両スライドドアに対して配線の追従性を良好とすることができる。特に、このように保持部が円筒保持部を有する構成では、第１保持部の形状も複雑となるが、ステップ部材が樹脂材にて成形されるため、第１保持部（ステップ部材）にその円筒保持部の一部を容易に成形することができる。
【００１１】
請求項４に記載の発明では、請求項１乃至３のいずれか１項に記載の配線保持構造において、前記保持部は、その一端部に前記配線の大きな曲がりを規制すべく一端に向かうほど徐々に大きく開口する規制開口部を有するものであって、前記第１保持部には前記規制開口部の一部を構成する湾曲部が形成されたことを要旨とする。
【００１２】
同構成によれば、保持部は、その一端部に前記配線の大きな曲がりを規制すべく（言い換えると小さな曲がりを許容すべく）一端に向かうほど徐々に大きく開口する規制開口部を有するものであるため、配線を保護しながら、開閉される車両スライドドアに対して配線の追従性を良好とすることができる。そして、第１保持部には規制開口部の一部を構成する湾曲部が形成されるが、ステップ部材が樹脂材にて成形されるため、第１保持部（ステップ部材）に湾曲部を容易に成形することができる。
【００１３】
請求項５に記載の発明では、請求項１乃至４のいずれか１項に記載の配線保持構造において、前記配線は、複数がコルゲートチューブに収容され、前記保持部は前記コルゲートチューブを保持することを要旨とする。
【００１４】
同構成によれば、配線は、複数がコルゲートチューブに収容され、保持部はコルゲートチューブを保持するものであるため、複数の配線の取り扱いが容易となる。
【発明の効果】
【００１５】
本発明によれば、部品点数を低減することができるとともに、小型化を図ることができる配線保持構造を提供することができる。
【図面の簡単な説明】
【００１６】
【図１】本実施の形態における配線保持構造の平面図。
【図２】本実施の形態における配線保持構造の分解斜視図。
【図３】本実施の形態における爪構造の斜視図。
【図４】本実施の形態における爪構造の斜視図。
【発明を実施するための形態】
【００１７】
以下、本発明を具体化した一実施の形態を図１〜図４に従って説明する。
車両には、図示しない車両スライドドアと隣接して、図１に示すステップユニット１が設けられている。
【００１８】
本実施の形態のステップユニット１は、車両スライドドアを開閉駆動するための駆動装置（モータユニット）２を備えたタイプであって、その駆動装置２と、略板状のステップ部材（踏み台）３とが主な構成部品となっている。尚、ステップユニット１は、車両本体としての図示しないボディに固定され、ステップユニット１の上面全体は、図示しない薄肉板状のスカッフプレート（化粧部材）にて覆われることになる。
【００１９】
ステップ部材３は、樹脂材にて成形されている。ステップ部材３は、閉時の車両スライドドアと隣接した車両室内に配置されるものであって、搭乗者が昇降時に足を乗せるための平板部３ａと、車両スライドドアの開方向側であって車両後方側の端部に前記平板部３ａと連続して設けられる駆動装置搭載部３ｂとを有し、その駆動装置搭載部３ｂ上に駆動装置２が固定されている。
【００２０】
又、ステップ部材３には、図２に示すように、第１保持部３ｃが一体成形されている。詳しくは、第１保持部３ｃは、ステップ部材３において前記駆動装置搭載部３ｂの更に車両後方側に一体成形されている。
【００２１】
又、第１保持部３ｃは、ステップ部材３の上方に開口するように前記平板部３ａの平面と平行な軸（本実施の形態では略車両幅方向に沿った軸）中心の円弧凹状に形成される第１円筒保持部３ｄを有する。
【００２２】
又、第１保持部３ｃは、前記第１円筒保持部３ｄの車両室外側（車両スライドドア側）の一端部から連続した凹状を形成すべく延びる第１一端側保持部３ｅを有する。この第１一端側保持部３ｅは、平面状の底部３ｆと底部３ｆの両側から立設される側壁３ｇとからなり、その底部３ｆと両側壁３ｇとからなる凹状が前記第１円筒保持部３ｄと連続した凹状を形成している。そして、本実施の形態の両側壁３ｇの一端側（車両室外側）には一端に向かうほど徐々に互いの間隔が広くなる湾曲部３ｈが形成されている。
【００２３】
又、第１保持部３ｃは、前記第１円筒保持部３ｄの車両室内側の他端部から連続した凹状を形成すべく延びる第１他端側保持部３ｉを有する。この第１他端側保持部３ｉは、底部３ｊと底部３ｊの両側から立設される側壁３ｋとからなり、その底部３ｊと両側壁３ｋとからなる凹状が前記第１円筒保持部３ｄと連続した凹状を形成している。
【００２４】
そして、この第１保持部３ｃには、該第１保持部３ｃとの間に複数の配線１１（図１参照）を保持するための第２保持部材１２が対向して固定され、それら第１保持部３ｃと第２保持部材１２とで保持部１３が構成される。つまり、第２保持部材１２は、前記第１保持部３ｃの上部開口端を閉塞しながら第１保持部３ｃとともに全体が筒状の保持部１３を構成し、その筒状の保持部１３の内部に配線１１を収容保持する。尚、本実施の形態では、複数の配線１１は束ねられてコルゲートチューブ１４内に収容され、保持部１３はコルゲートチューブ１４を保持することになる。又、この配線１１は、車両本体側（その電源装置等）と車両スライドドア側（その電装品）とを電気的に接続するためのものである。
【００２５】
詳しくは、第２保持部材１２は、第１円筒保持部３ｄとともに内周面が真円形状の円筒保持部１３ａ（図１参照）を構成するように、円筒を半分に分割した形状を含む第２円筒保持部１２ａを有する。
【００２６】
又、第２保持部材１２は、前記第２円筒保持部１２ａの車両室外側（車両スライドドア側）の一端部から連続して前記第１一端側保持部３ｅとともに筒状の一端側保持部１３ｂ（図１参照）を構成するように、第２一端側保持部１２ｂを有する。この第２一端側保持部１２ｂは、平面状の上壁１２ｃと上壁１２ｃの両側から垂設される側壁１２ｄとからなる。又、本実施の形態の両側壁１２ｄの一端側（車両室外側）には一端に向かうほど徐々に互いの間隔が広くなる湾曲部１２ｅが形成されている。これにより、前記湾曲部３ｈ，１２ｅを含む一端側保持部１３ｂには、コルゲートチューブ１４（配線１１）の大きな曲がりを規制すべく（言い換えると小さな曲がりを許容すべく）一端に向かうほど徐々に大きく開口する規制開口部１３ｃ（図１参照）が形成されることになる。
【００２７】
又、第２保持部材１２は、前記第２円筒保持部１２ａの車両室内側の一端部から連続して前記第１他端側保持部３ｉとともに筒状の他端側保持部１３ｄ（図１参照）を構成するように、第２他端側保持部１２ｆを有する。この第２他端側保持部１２ｆは、平面状の上壁１２ｇと上壁１２ｇの両側から垂設される側壁１２ｈ（図２中、１つのみ図示する）とからなる。
【００２８】
そして、第２保持部材１２は第１保持部３ｃに、図３及び図４に示す爪構造にて係着される。詳しくは、本実施の形態の第２保持部材１２において、前記第２円筒保持部１２ａと前記第２他端側保持部１２ｆ（その側壁１２ｈ）には、それぞれ一対（図２〜図４中、それぞれ一方のみ図示する）の爪部１２ｉ，１２ｊが形成されている。一方、本実施の形態の第１保持部３ｃにおいて、前記第１円筒保持部３ｄと前記第１他端側保持部３ｉ（その側壁３ｋ）には、前記各爪部１２ｉ，１２ｊが上方から挿入されるとその抜け止めをなす爪係合部３ｌ，３ｍが形成されている。そして、このように構成された爪構造（爪部１２ｉ，１２ｊ及び爪係合部３ｌ，３ｍ）にて、図３及び図４に示すように、第１保持部３ｃと第２保持部材１２とが係着されている。
【００２９】
そして、前記コルゲートチューブ１４（配線１１）は、上記のように構成された保持部１３（円筒保持部１３ａ、一端側保持部１３ｂ及び他端側保持部１３ｄ）内を通るようにして保持される。又、図１に示すように、本実施の形態のコルゲートチューブ１４（配線１１）は、自身に外嵌される円筒状（外周面が真円形状）の回転保持部材１５に保持され、その回転保持部材１５が前記円筒保持部１３ａに回転可能に収容保持されることで、保持部１３に対して（コルゲートチューブ１４の軸中心を中心として）回転可能とされている。尚、他端側保持部１３ｄから外部に導出するコルゲートチューブ１４は、車両本体側の電源装置等に電気的に接続され、一端側保持部１３ｂ（規制開口部１３ｃ）から外部に導出されるコルゲートチューブ１４（配線１１）は車両スライドドア側の電装品等に電気的に接続される。
【００３０】
次に、上記実施の形態の特徴的な作用効果を以下に記載する。
（１）車両スライドドアと隣接して設けられるステップ部材３に一体成形された第１保持部３ｃと、第１保持部３ｃに対向して固定され該第１保持部３ｃとの間に配線１１（コルゲートチューブ１４）を保持する第２保持部材１２とで保持部１３が構成される。よって、下側保持部材と上側保持部材を組み合わせた保持部材をステップ部材に固定するもの（従来技術）に比べて、部品点数を少なくすることができる。即ち、上記実施の形態では、ステップ部材３と保持部１３の一部（第１保持部３ｃ）とが共用の一つの部材となるため、部品点数を少なくすることができる。又、ステップ部材３は、一般的に金属材よりなるが、上記構成では樹脂材にて成形するため、製造するものの形状の自由度が増し、ステップ部材３と第１保持部３ｃとを容易に一体成形することができる。しかも、ステップ部材３と第１保持部３ｃとが一体成形されるため、別体としてそれらを固定したとき（従来技術）のように嵩んで大型化してしまうことを回避することができ、全体として小型化を図ることができる。その結果、例えば車両室内の低床化を図ることができる。
【００３１】
（２）第１保持部３ｃと第２保持部材１２とは、爪構造（爪部１２ｉ，１２ｊと爪係合部３ｌ，３ｍ）にて係着されるため、ねじ止め等にて固定する場合に比べて、部品点数を低減することができるとともに、その組み付けが容易となる。特に、このような爪構造は、互いに係合するようにその形状が複雑となるが、ステップ部材３が樹脂材にて成形されるため、ステップ部材３にその一部（例えば爪係合部３ｌ，３ｍ）を容易に成形することができる。
【００３２】
（３）保持部１３は、円筒保持部１３ａを有し、配線１１（コルゲートチューブ１４）は、円筒保持部１３ａに回転可能に保持される回転保持部材１５に保持されるため、保持部１３に対して（コルゲートチューブ１４の軸中心を中心として）回転可能とされ、開閉される車両スライドドアに対して配線１１の追従性を良好とすることができる。特に、このように保持部１３が円筒保持部１３ａを有する構成では、第１保持部３ｃの形状も複雑となるが、ステップ部材３が樹脂材にて成形されるため、第１保持部３ｃ（ステップ部材３）にその円筒保持部１３ａの一部（第１円筒保持部３ｄ）を容易に成形することができる。
【００３３】
（４）保持部１３は、その一端部に配線１１（コルゲートチューブ１４）の大きな曲がりを規制すべく（言い換えると小さな曲がりを許容すべく）一端に向かうほど徐々に大きく開口する規制開口部１３ｃを有するものであるため、配線１１を保護しながら、開閉される車両スライドドアに対して配線１１の追従性を良好とすることができる。そして、第１保持部３ｃには規制開口部１３ｃの一部を構成する湾曲部３ｈが形成されるが、ステップ部材３が樹脂材にて成形されるため、第１保持部３ｃ（ステップ部材２）に湾曲部３ｈを容易に成形することができる。
【００３４】
（５）配線１１は、複数がコルゲートチューブ１４に収容され、保持部１３はコルゲートチューブ１４を保持するものであるため、複数の配線１１の取り扱いが容易となる。
上記実施の形態は、以下のように変更してもよい。
【００３５】
・上記実施の形態では、第１保持部３ｃと第２保持部材１２とは、爪構造（爪部１２ｉ，１２ｊと爪係合部３ｌ，３ｍ）にて係着されるとしたが、これに限定されず、例えば、ねじ止め等にて固定してもよい。
【００３６】
・上記実施の形態では、配線１１は、保持部１３の円筒保持部１３ａに回転可能に保持される回転保持部材１５に保持されることで、保持部１３に対して（コルゲートチューブ１４の軸中心を中心として）回転可能とされるとしたが、これに限定されず、回転不能に保持部１３に保持されるものとしてもよい。即ち、前記円筒保持部１３ａが形成されず、回転保持部材１５を備えていない配線保持構造としてもよい。
【００３７】
・上記実施の形態では、保持部１３は、その一端部に配線１１の大きな曲がりを規制すべく（言い換えると小さな曲がりを許容すべく）一端に向かうほど徐々に大きく開口する規制開口部１３ｃを有するものであるとしたが、これに限定されず、規制開口部１３ｃ（湾曲部３ｈ，１２ｅ）を有していない保持部に変更してもよい。又、上記実施の形態の規制開口部１３ｃは、一端に向かうほど上下方向に徐々に大きく開口する構成（底部３ｆや上壁１２ｃに湾曲部が形成されたもの）に変更してもよいし、同構成を加えたものとしてもよい。
【００３８】
・上記実施の形態では、保持部１３は複数の配線１１を収容したコルゲートチューブ１４を保持するものであるとしたが、これに限定されず、配線１１がコルゲートチューブ１４に収容されず、保持部がコルゲートチューブ１４を介さずに配線１１を保持するものとしてもよい。
【００３９】
・上記実施の形態では、ステップユニット１は、車両スライドドアを開閉駆動するための駆動装置（モータユニット）２を備えたタイプであるとしたが、これに限定されず、駆動装置２を備えていないタイプのものとしてもよい。即ち、駆動装置搭載部３ｂを有していないステップ部材３としてもよい。
【符号の説明】
【００４０】
３…ステップ部材、３ｃ…第１保持部、３ｈ…湾曲部、３ｌ，３ｍ…爪構造の一部を構成する爪係合部、１１…配線、１２…第２保持部材、１２ｉ，１２ｊ…爪構造の一部を構成する爪部、１３…保持部、１３ａ…円筒保持部、１３ｃ…規制開口部、１４…コルゲートチューブ、１５…回転保持部材。
【図１】
2011109876.tif 000003
【図２】
2011109876.tif 000004
【図３】
2011109876.tif 000005
【図４】
2011109876.tif 000006